【事件の表示】
　上記当事者間の登録第２７１５３１３号商標の商標登録無効審判事件について、次のとおり審決する。
【結　論】
　登録第２７１５３１３号の登録を無効とする。
　審判費用は被請求人の負担とする。
【理　由】
 第１　本件商標
　本件登録第２７１５３１３号商標(以下「本件商標」という。)は、別掲に示すとおりの構成よりなり、第１７類「被服（運動用特殊被服を除く）布製身回品（他の類に属するものを除く）寝具類（寝台を除く）」を指定商品として、平成２年８月３日登録出願、同８年７月３１日に設定登録され、現に有効に存続しているものである。
　　
第２　請求人が引用する商標
　請求人が引用する商標は、以下のとおりである。
（１）登録第８５２０７１号商標(以下「引用Ａ商標」という。)は、ややデザイン化した「ＶＡＬＥＮＴＩＮＯ」の欧文字を横書きしてなり、第１７類「被服（運動用特殊被服を除く）布製身回品（他の類に属するものを除く）寝具類（寝台を除く）」を指定商品として、昭和４３年６月５日登録出願、同４５年４月８日に設定登録され、現に有効に存続しているものである。
（２）登録第１４１５３１４号商標(以下「引用Ｂ商標」という。)は、「ＶＡＬＥＮＴＩＮＯ　ＧＡＲＡＶＡＮＩ」の欧文字を横書きしてなり、第１７類「被服(運動用特殊被服を除く) 布製身回品(他の類に属するものを除く) 寝具類(寝台を除く)」を指定商品として、昭和４９年１０月１日登録出願、同５５年４月３０日に設定登録され、現に有効に存続しているものである。
（３）登録第９７２８１３号商標(以下「引用Ｃ商標」という。)は、「ＶＡＬＥＮＴＩＮＯ」の欧文字を横書きしてなり、第２１類「宝玉、その他本類に属する商品」を指定商品として、昭和４５年４月１６日登録出願、同４７年７月２０日に設定登録されたものであるが、指定商品中の「かばん類、袋物」についての登録は、一部放棄により抹消され、その登録が平成２年６月２５日になされている。
（４）登録第１７９３４６５号商標(以下「引用Ｄ商標」という。)は、「ＶＡＬＥＮＴＩＮＯ　ＧＡＲＡＶＡＮＩ」の欧文字を横書きしてなり、第２１類「装身具、ボタン類、かばん類、袋物、宝玉及びその模造品、造花、化粧用具」を指定商品として、昭和４９年１０月１日登録出願、同６０年７月２９日に設定登録され、現に有効に存続しているものである。
（５）登録第１７８６８２０号商標(以下「引用Ｅ商標」という。)は、「ＶＡＬＥＮＴＩＮＯ　ＧＡＲＡＶＡＮＩ」の欧文字を横書きしてなり、第２２ 類「はき物(運動用特殊ぐつを除く) かさ、つえ、これらの部品及び附属品」を指定商品として、昭和４９年１０月１日登録出願、同６０年６月２５日に設定登録され、現に有効に存続しているものである。
　
第３　請求人の主張
　請求人は、結論同旨の審決を求めると申し立て、その理由及び答弁に対する弁駁を要旨次のように述べ、証拠方法として甲第１号証ないし甲第３２号証(枝番を含む。)を提出した。
１　商標法第４条第１項第８号について
　請求人は、イタリアの著名な服飾デザイナー「ＶＡＬＥＮＴＩＮＯ　ＧＡＲＡＶＡＮＩ（ヴァレンティノ　ガラヴァーニ）」の同意を得て、同氏のデザインに係る各種の商品を製作、販売し、これらの商品に「ＶＡＬＥＮＴＩＮＯ」あるいは「ＶＡＬＥＮＴＩＮＯ　ＧＡＲＡＶＡＮＩ」の欧文字からなる商標を使用している者であるが、同氏は単に「ヴァレンティノ」（ＶＡＬＥＮＴＩＮＯ）と略称されており、この略称も「ＶＡＬＥＮＴＩＮＯ　ＧＡＲＡＶＡＮＩ」とともに本件商標の登録出願の日前より著名なものとなっている。
　すなわち、「ＶＡＬＥＮＴＩＮＯ　ＧＡＲＡＶＡＮＩ」（ヴァレンティノガラヴァニ）は、１９３２年イタリア国ボグヘラで誕生、１７才の時パりに行き、パリ洋裁学院でデザインの勉強を開始し、その後、フランスの有名なデザイナー「ジーン・デシス、ギ・ラ・ロシュ」の助手として働き、１９５９年ローマで自分のファッションハウスを開設した。１９６７年にはデザイナーとして最も栄誉ある賞といわれる「ファッションオスカー（Ｆａｓｈｉｏｎ　Ｏｓｃａｒ）」を受賞し、ライフ誌、ニューヨークタイムズ誌、ニューズウィーク誌など著名な新聞、雑誌に同氏の作品が掲載された。これ以来、同氏は、イタリア・ファッションの第１人者としての地位を確立し、フランスのサンローランなどと並んで世界三大デザイナーと呼ばれ、国際的なトップデザイナーとして知られている。この「ファッションオスカー」は無彩色である白を基調にまとめた「白のコレクション」に与えられたものである。その後も同氏の作品は無地の服を得意とし、大胆な「白」と「素材」を特徴とし、その服飾品は芸術に値すると賞賛されており、その顧客には、レオーネ・イタリア大統領婦人、グレース・モナコ王妃、エリザベス・テーラー、オードリー・ヘップバーンなどの著名人も多い。同氏のデザイン活動は、婦人用、紳士用衣服を中心にネクタイ・シャツ・ハンカチーフ・マフラー・ショール・ブラウスなどの衣料用小物、バンド・ベルト・ネックレス・ペンダントなどの装身具、バッグ・さいふ・名刺入れその他のかばん類、その他サングラス、傘、スリッパなどの小物からインテリア装飾にも及んでいる。
　わが国においても、「ヴァレンティノ　ガラヴァニ」の名前は、１９６７年（昭和４２年）のファッションオスカー受賞以来知られるようになり、その作品はＶｏｇｕｅ誌などにより継続的に日本国内にも紹介されている。昭和４９年には三井物産株式会社の出資により同氏の日本及び極東地区総代理店として株式会社ヴアレンテイノヴテイックジャパンが設立され、ヴアレンテイノ製品を輸入、販売するに至り、同氏の作品は、わが国のファッション雑誌にもより数多く掲載されるようになり、同時にわが国においても著名なデザイナーとして一層注目されるに至っている。
　以上のとおり、「ヴアレンテイノ・ガラヴアニ」は、世界のトップデザイナーとして本件商標が出願された平成２年８月当時には、既にわが国においても著名であった。同氏は、「ＶＡＬＥＮＴＩＮＯ　ＧＡＲＡＶＡＮＩ」「ヴァレンティノ・ガラヴアニ」とフルネームで表示され、このフルネームをもって紹介されることが多いが、同時に新聞、雑誌の記事や見出し中には、単に「ＶＡＬＥＮＴＩＮＯ」「ヴァレンティノ」と略称されてとりあげられることの多いことは甲第３号証ないし甲第７号証によっても明らかなことであり、ファッションに関して「ＶＡＬＥＮＴＩＮＯ」「ヴァレンティノ」といえば同氏を指すものと広く認識されるに至っていたところである。
　しかるところ、本件商標は、別掲に示すとおりのものであって、商標中の「Ｒｕｄｏｌｐｈ　Ｖａｌｅｎｔｉｎｏ」の文字中後半の「Ｖａｌｅｎｔｉｎｏ」の文字が「ヴァレンティノ」と称呼されるものであることは明らかであるから、本件商標は「ＶＡＬＥＮＴＩＮＯ　ＧＡＲＡＶＡＮＩ」（ヴァレンティノ　ガラヴァーニ）の著名な略称を含む商標であり、その者の承諾を得ずに登録出願されていることは明らかである。
　したがって、本件商標は、商標法第４条第１項第８号に違反して登録されたものである。
２　商標法第４条第１項第１１号について
　本件商標と引用Ａ商標及び引用Ｂ商標とを比較するに、本件商標は、別掲に示すとおりのものであって、「Ｒｕｄｏｌｐｈ　Ｖａｌｅｎｔｉｎｏ」の欧文字は、その全体を称呼するときは「ルドルフ　ヴァレンティノ」の９音にも及ぶ冗長なものとなるばかりでなく、「ルドルフ」と「ヴァレンティノ」の間に段落を生ずるものであり、しかも、上記のデザイナー「ＶＡＬＥＮＴＩＮＯ　ＧＡＲＡＶＡＮＩ」が「ＶＡＬＥＮＴＩＮＯ」（ヴァレンティノ）と略称されて著名なものとなっていることとも相挨って、これに接する取引者、需要者は、その構成文字中、取引者、需要者に親しまれている「Ｖａｌｅｎｔｉｎｏ」の文字に相当する「ヴァレンティノ」の称呼をもって、取引に当る場合が決して少なくないものとみるのが自然である。
　したがって、本件商標は、「ヴァレンティノ」の称呼をも生ずるものといわざるを得ない。
　一方、引用Ａ商標及び引用Ｂ商標のうち、引用Ａ商標は「ＶＡＬＥＮＴＩＮＯ」の文字を書してなるものであるから、「ヴァレンティノ」の称呼を生ずるものであること明らかであり、また、引用Ｂ商標は「ＶＡＬＥＮＴＩＮＯ　ＧＡＲＡＶＡＮＩ」の文字を書してなるものであるが、その全体を称呼するときは「ヴァレンティノ　ガラヴァーニ」の称呼を生ずるものであって、この称呼は冗長なものであるので、上記デザイナー「ＶＡＬＥＮＴＩＮＯ　ＧＡＲＡＶＡＮＩ」が「ＶＡＬＥＮＴＩＮＯ」（ヴァレンティノ）と略称されて著名なものとなっていることとも相俟って、引用Ｂ商標は、その構成文字中、前半の「ＶＡＬＥＮＴＩＮＯ」の文字に相応する「ヴァレンティノ」の称呼をもって取引に資される場合も決して少なくないのが実情である。すなわち、引用Ａ商標及び引用Ｂ商標は、いずれも「ヴァレンティノ」の称呼をも生ずるものであるといわざるを得ない。
　してみると、本件商標と引用Ａ商標及び引用Ｂ商標とは、「ヴァレンティノ」の称呼を共通にする類似の商標であり、また、本件商標の指定商品と引用Ａ商標及び引用Ｂ商標の指定商品は同一のものであることは明らかであるから、本件商標は、商標法第４条第１項第１１号に違反して登録されたものである。
３　商標法第４条第１項第１５号について
　請求人は、上記のとおり各種の商品について多数の登録商標を使用しているところであって、引用各商標は、婦人服、紳士服、ネクタイ等の被服、バンド、バッグ類、靴等に使用された結果、本件商標の登録出願の日前より全世界に著名なものとなっていることは明らかである（甲第３号証ないし甲第１５号証）。
　また、本件商標の指定商品と引用各商標の指定商品は服飾品の範疇に属する商品であるばかりでなく、商品の流通経路を同じくする場合も少なくない密接な関係にあるものである。
　したがって、本件商標は、これを被請求人がその指定商品に使用した場合、その商品があたかも請求人の製造、販売の業務に係る商品であるか、または請求人と経済的あるいは組織的に何らかの関係にある者、すなわち姉妹会社等の関係にある者の業務に係る商品であるかの如く、その出所について混同を生じさせるおそれがあるから、商標法第４条第１項第１５号に違反して登録されたものである。
４　答弁に対する弁駁
（１）利害関係について
　請求人は、本件審判請求をするについて、いわゆる利害関係を有するものである。
　すなわち、請求人が本件審判請求の理由中、本件商標が商標法第４条第１項第１１号に違反して登録されたものであるとして引用した引用Ａ商標及び引用Ｂ商標の商標権者であること（甲第２１号証及び甲第２２号証）、また、本件商標が商標法第４条第１項第１５号に違反して登録されたものであるとして引用した引用Ｃ商標及び引用Ｄ商標にしても、商標権者が請求人であることが明らかである（甲第２３号証及び甲第２４号証）。
　そして、請求人の旧名称が「グロベレガンセ　ビー　ベー」であったこと及びイタリアの有名な服飾デザイナー「ＶＡＬＥＮＴＩＮＯ　ＧＡＲＡＶＡＮＩ」が自己の氏名をあらわす引用Ｂ商標を所有していて、これを請求人に譲渡したことも明らかであるばかりでなく（甲第２２号証）、「ＶＡＬＥＮＴＩＮＯ　ＧＡＲＡＶＡＮＩ」が自己の氏名を請求人が被服等の商標として使用し、登録を受けることに同意していることは甲第３２号証の同意書の写しによって明らかである。しかも、商願昭６２―１３２０６５号に対する登録異議の申立てについての決定謄本の写し等（甲第２５号証ないし甲第２８号証）の理由をみれば、請求人の上記の引用各商標が「ＶＡＬＥＮＴＩＮＯ」の文字を有する商標とは係わりのあることは明らかなところである。
　したがって、本件商標に対して無効審判を請求した請求人は、本件審判請求するについて、いわゆる利害関係を有する者であることが明らかである。
（２）著名性について
　「ＶＡＬＥＮＴＩＮＯ」あるいは「ＶＡＬＥＮＴＩＮＯ　ＧＡＲＡＶＡＮＩ」の文字からなる引用商標が被服、ネクタイ、バック等に使用され、少なくとも昭和６２年前から周知著名であることは特許庁における登録異議の申立てについての決定謄本の写しにて明らかにされているところであり（甲第２５号証の３）、また、例えば「ＶＡＬＥＮＴＩＮＯ」の文字が「ＳＨＡＮＥＬ」や「ＤＩＯＲ」の文字と同等にかつ独立した表示として用いられていることもみることができる（甲第２９号証の２、甲第３０号証の３及び甲第３１号証の１）。
　したがって、「ＶＡＬＥＮＴＩＮＯ」の文字を有し、かつ「Ｖ」字形の図形（記号的表示を含む）を有してなる商標は、少なくとも服飾品の範疇に属する商品に使用された場合、その商品はあたかも請求人の業務に係る商品であるかの如く、その出所について混同を生じさせるおそれがあるものである（甲第２６号証ないし甲第２８号証）。
５　以上のとおり、本件商標は、商標法第４条第１項第８号、同第１１号及び同第１５号に違反して登録されたものであるから、商標法第４６条の規定により無効とされるべきものである。
　
第４　被請求人の主張
　被請求人は、本件審判の請求は、これを却下する、又は本件審判の請求は成り立たない、審判費用は請求人の負担とする、との審決を求めると答弁し、その理由を要旨次のように述べ、証拠方法として乙第１号証ないし乙第７２号証(枝番を含む。)を提出した。
１　利害関係の有無について
　請求人は、請求の理由中で自らを「イタリアの著名な服飾デザイナー〜氏の同意を得て、同氏のデザインに係る各種の服飾商品を制作、販売しており、これらの商品について『ＶＡＬＥＮＴＩＮＯ』あるいは『ＶＡＬＥＮＴＩＮＯ　ＧＡＲＡＶＡＮＩ』の欧文字からなる商標を使用している者」とするが、そのことを直接ないし間接的に明らかにする証拠方法は見出すことができない。
　甲第１８号証として提出されている引用Ｃ商標の出願人は、商標公報ではオランダ国籍の「グロベレガンセ・エヌ・ベー」（請求人の旧名称？）で、引用Ｂ商標、引用Ｄ商標及び引用Ｅ商標以下の出願人（商標権者）としてはイタリー国籍のヴァレンティノ・ガラヴァニ氏である。
　無効審判を請求するには民事訴訟法の「利益なければ訴権なし」の原則が適用されるので、無効審判を請求することについての法律上の利益が必要とされるところ、上記のように請求人はこの点について明確にせず、非類似の商品についての商標権及び他人の商標権を提示した請求をなしているので、商標法第５６条第１項で準用する特許法第１３５条の規定により本件審判請求は却下されるべきである。
２　商標法第４条第１項第８号について
　本件商標は、ハリウッドの無声映画時代の映画俳優の氏名（１９２６年没）に由来する商標といえる。
　請求人は「ＶＡＬＥＮＴＩＮＯ」「ヴァレンティノ」を含む商標はヴァレンティノ　ガラヴァーニの著名な略称を含む商標であるとするが、時代的には本件商標の由来する人物の方が遥かに古い。
　外国映画俳優全集・男優編の「ルドルフ・ヴァレンティノ Ｒｕｄｏｌｐｈ Ｖａｌｅｎｔｉｎｏ」の項（乙第１号の１）に掲載のように、わずか３１歳で急逝した美男の映画俳優で急逝後葬儀のときに街路をファンが埋めつくしたとの有名なエピソードを残している。
　アーヴィング・シュルマンの評伝である「ＶＡＬＥＮＴＩＮＯ」（１９６７年）を開けば「ＶＡＬＥＮＴＩＮＯ」が頻出する（乙第１号証の２）が、いうまでもなく「Ｒｕｄｏｌｐｈ Ｖａｌｅｎｔｉｎｏ」を指す。
　「スターダムーハリウッド現象の光と影」アレグザンダー・ウォーカー著 渡辺武信・渡辺葉子訳では一章（第１０章）を割いて「大いなる恋人の登場―ヴァレンティノ」の表題で２７頁にわたり論じられている（乙第１号証の３）。
　株式会社研究社の新英和大辞典（第５版１９８０年）の「ＶＡＬＥＮＴＩＮＯ」の項目（乙第１号証の４）では「ＲＵＤＯＬＰＨ　 ＶＡＬＥＮＴＩＮＯ」を意味するとし「イタリア生れの米国の俳優」と掲載されている。
　岩波書店発行の百科事典を兼ねるといわれる「広辞苑第３版」Ｐ１８８の「ヴァレンチノ」の項目でも「Ｒｕｄｏｌｐｈ Ｖａｌｅｎｔｉｎｏ」が挙げられている。
　昭和５６年５月２６日の朝日新聞夕刊（乙第１号の５）に掲載されているように、天才ダンサー、ルドルフ・ヌエーレフがルドルフ・バレンチノを演じて評判になった「バレンチノ」（１９７７）がＴＢＳ（東京放送）で５月２５日で放映された。
　「ＶＡＬＥＮＴＩＮＯ」はローマ法王（アレッサンドロ６世）の庶子でイタリア統一の野望に燃えたチェーザレ ボルジアがスペインのヴァレンシアに領地を所有していたのでイタリア語化したヴァレンティーノ枢機卿、ヴァレンティーノ公爵と呼称され（「チェーザレボルジアあるいは優雅なる冷酷」 新潮社刊 塩野 七生著 ルクレツィアボルジア 集英社刊 中田耕治著等 参照）、イタリア出身のアメリカの１９２０年代のマフィアの著名なボスの「ヴァレンティノ」などに代表されるように、イタリア人の氏ないし名として極めて一般的なかつありふれたもので、日本に引き直していえば、鈴木、中村、伊藤、一郎、太郎などに相当する。
　ヴァレンティノ　ガラヴァーニが特定の分野、例えばオートクチュールの分野で著名であることは認めるにやぶさかでないが、氏名の構成の一部として商標中に採択される「ＶＡＬＥＮＴＩＮＯ」を含む商標について、著名な略称を含むものとするには当たらないものである。
　例えば、乙第２号証の１及び２に示すとおり、「ｍａｒｉｏ ｖａｌｅｎｔｉｎｏ」も被服のデザイナーとして著名である。
　姓ないし名が共通する有名デザイナーを新ファッションビジネス基礎用語辞典から抜き出せば「ｖａｌｅｎｔｉｎｏ ｇａｒａｖａｎｉ」「ｍａｒｉｏ ｖａｌｅｎｔｉｎｏ」以外に４例ある（乙第３号証）。
　請求人は「ＶＡＬＥＮＴＩＮＯ」（ヴァレンティノ）が略称として著名であることは甲第３号証ないし甲第１５号証で明らかであるとする。
　その根拠として、請求人は服飾デザイナーの「ＶＡＬＥＮＴＩＮＯ ＧＡＲＡＶＡＮＩ」氏の氏名は単に「ＶＡＬＥＮＴＩＮＯ」（ヴァレンティノ）と新聞、雑誌の記事や見出し中には略称されていて同氏を指すものと広く認識されるに至っていたとする。
　しかし、甲第１６号証として請求人の提出したプレイロード株式会社の商標公報に示された引用Ａ商標は「ＶＡＬＥＮＴＩＮＯ」で旧第１７類の被服等を指定商品とし、昭和４３年６月５日の出願に係るもので、昭和４５年４月８日の登録に係り現在まで２度更新されている。
　グロベレガンセ　エヌ　べ一は商標「ＶＡＬＥＮＴＩＮＯ」を旧第１７類に商願昭４５−３８４１３号として出願していたが、昭和５４年８月２９日拒絶審決を受けている。このことはグロベレガンセ　エヌ　べ−はこの拒絶審決を受けた商標の審査の過程において上記のプレイロード株式会社の抵触する商標の存在を認識していたはずである。
　また、「Ｖａｌｅｎｔｉｎｏ」を要部とする商標を商願昭４８−１４６３２６号として登録出願したが昭和５４年１１月１４日拒絶審決を受けている（乙第４号証）。
　甲第５号証の９（昭和５１年１０月１日　センイジャアナル）の「なおブランドは、紳士服メ−カープレイロードが、”ヴァレンティノ”で打ち出していることから“ ヴァレンティノ・ガラバーニ”とする。」との記述からすればヴァレンティノブティック・ジャパンもプレイロードの商標を認識していたこと確実である。　
　請求人の主張は、氏名商標「ＶＡＬＥＮＴＩＮＯ ＧＡＲＡＶＡＮＩ」の構成の一部「ＶＡＬＥＮＴＩＮＯ」が他人の登録商標であるにもかかわらず、マスコミによる誤用、不適切な使用を根拠として他人の登録商標と同一に略称されるとするものである。
　請求人の主張によれば、引用Ｂ商標の通常使用権者（ヴァレンティノブティック・ジャパン）が登録商標と類似する商標（ＶＡＬＥＮＴＩＮＯ）を使用して他人（プレイロード）の業務に係る商品と混同を生ずるものとしたので、商標法第５３条の規定に該当し取り消されるべということになる。
　請求人は、一般にイタリア人の名前として認識される「ＶＡＬＥＮＴＩＮＯ」が著名な略称として保護されるとするが、将来出現するであろう氏名に「ＶＡＬＥＮＴＩＮＯ」を含むデザイナーは自らの氏名の使用、登録もままならない不合理な結果となることから考えてもその主張の正当性を有しないこと明らかである。
　旧第１７類を指定商品とし、出願人がイタリア国籍のもので「ＶＡＬＥＮＴＩＮＯ」の文字を含む商標の登録例としては「ＯＳＣＡＲ／ＶＡＬＥＮＴＩＮＯ」及び「ｖａｌｅｎｔｉｎｏ／ｏｒｌａｎｄｉ」がある（乙第５号証及び乙第６号証）。
　ちなみに、アメリカでも乙第７号証ないし乙第２３号証に示すとおり「ＶＡＬＥＮＴＩＮＯ」及び「ＶＡＬＥＮＴＩＮＯ」を含む商標が請求人及びヴァレンティノ ガラヴァーニ以外の名義で多数登録されている例がある。
　乙第１０号証の登録第１１４１３５３号の「Ｒｕｄｏｌｐｈ Ｖａｌｅｎｔｉｎｏ」については架空の氏名であるとするが、乙第１号証の１などから明らかなように「Ｒｕｄｏｌｐｈ Ｖａｌｅｎｔｉｎｏ」の本名に近い氏名商標で、乙第１１号証の登録第１２１００７２号の「Ｖａｌｅｎｔｉｎｏ’ｓ」商標については、有名な俳優である「Ｒｕｄｏｌｐｈ Ｖａｌｅｎｔｉｎｏ」に由来するとしている。
３　商標法第４条第１項第１１号について
　本件商標の連合商標であった登録第２３５７４０９号商標は、審査において引用Ａ商標を引用されて拒絶査定となったが、拒絶査定不服審判で登録審決を受けている（乙第２４号証）。
　引用Ｂ商標との類否について、本件商標の審査における異議決定で本願商標（本件商標）と引用Ｂ商標とは非類似と認定されている（乙第２５号証）。
　引用Ｄ商標は、引用Ｃ商標とは非類似として別人の名義で登録されている。
　引用Ｄ商標の出願に対してのマリオ・バレンチーノよりの異議申立てに対する異議答弁書（昭和５３年１２月２２日付）で出願人であるヴァレンティノ　ガラヴァニは次のように述べている。
　「本願商標は『ＶＡＬＥＮＴＩＮＯ ＧＡＲＡＶＡＮＩ』と２記（？語の誤り）の結合からなるものであるが、これを一連に発音した「ヴァレンティノ　ガラヴァニ」の称呼は全体でも冗長ではないし、全体としての冗長認感（？）も不自然ではなくまとまって印象づけられる。したがって、本願商標は『ＶＡＬＥＮＴＩＮＯ』及び『ＧＡＲＡＶＡＮＩ』が不可分一体に構成され、連続して発音されるものであってこれを分離するものとして把握するのは適当でない。さらに、本願商標の前半部『ＶＡＬＥＮＴＩＮＯ』は一般にイタリア人の名前として認識されるところから、本願商標はその全体で初めて強い識別力を発揮し、この意味からも本願商標は常に一体として称呼されるものである。」とし、さらには「氏名から採択したものであって、本願商標はこのデザイナーとの関連からも不可分一体のものとして認識される。」とする。加えて、「『バレンチーノ』、『ヴァレンティノ』の称呼を生ずる引用商標とは〜非類似」（乙第２６号証）。
　この主張は乙第２７号証として提出する異議決定でも支持されている。　　請求人は、この過去のヴァレンティノ　ガラヴァニの異議答弁書での主張との整合性をどのように考えるのであろうか。
４　商標法第４条第１項第１５号について
　請求人は、旧第１７類に加えて、旧第２１類、旧第２２類についての自ら所有する登録商標「ＶＡＬＥＮＴＩＮＯ ＧＡＲＡＶＡＮＩ」及び旧第２１類の登録商標「ＶＡＬＥＮＴＩＮＯ」を提示し使用しており全世界に著名となっていることは甲第３号証から甲第１５号証で明らかで、本件商標から「ヴァレンティノ」の称呼も生じるので類似の商標の使用となり、出所の混同を生じるとする。
　甲第３号証の５及び６は、ヴァレンティーノ氏のインタビュー記事であるが、何時どの雑誌に掲載されたのか不明である。
　甲第３号証の７は、昭和４９年５月８日の新聞記事と認められるが、「バレンチノ・クチュール・ジャパンを設立する」との内容で事情通を読者とするものと認められる。記事の中には「バレンチノ・クチュールとの提携は〜」としているが請求人との関係は明示されていない。
　甲第３号証の８も、同じ内容の織研新聞とするが「イタリアのオートクチュラーバレンチノ氏と提携」としている。
　甲第３号証の９は、昭和４９年６月の日経新聞とし見出しは「伊バレンチノ社上陸、物産など三社と合弁」で内容では「バレンチノ社（本社ローマ市）が近く日本に資本進出する」とされ「組んで合弁会社を設立し〜合弁会社はバレンチノ・ブティック・ジャパン」であるとする。
　甲第３号証の１ｌは、日時掲載紙不明（日本繊維新聞？）の記事では「ヴァレンティノ・ブティックジャパンは３年目に入ったが、７月期の売上高は８億円と実質倍増を予定している。〜ここ１、２年で低くみても１１、２億円の売上は達成できる〜」とされている。
　甲第４号証の２は、ほとんど判読不能「ヴァレンティノ・ガラバーニ」と氏名が認識できるのみである。
　甲第４号証の３は「バレンティノ・ガラバーニのショーが開催される」旨の朝日新聞の記事である。
　甲第４号証の４は、週刊女性中の赤坂サンローゼ内のブティックの紹介（広告）で、広告であるとすればプレイロード社の商標権の侵害となる。
　甲第４号証の５は、日刊ゲンダイの記事で「ヴァレンティノ　ガラバーニ氏」を前提に「ヴァレンティノ氏」と略称していることが見てとれる。　　甲第４号証の６は、ヴァレンティノ・ガラバーニ氏の「秋冬コレクションの開催を記事」でその旨を記事中で触れながら記事中で「ヴァレンティノのショーでも」としたり、小見出しで「ヴァレンティノのショーから」としているものと認められる。
　甲第４号証の７は、「秋冬のコレクション」に関するものである。
　甲第４号証の８は、日付不明の伊勢丹の広告と認められるが、「〜バッグはヴァレンティノです」とあるが、請求人も認めているように「かばん類、袋物」は引用Ｃ商標の指定商品より放棄されているはずである（登録年月日　平成２年６月２５日）。
　甲第４号証の９は、週刊ＴＶガイドで、女優松阪慶子がドラマの中で着用する衣装についての「バレンチノ」を採用するとのことで請求人の預かり知らない誤用と認められる。
　甲第４号証の１０の日経流通新聞では、「ヴァレンティノ」が略称として用いられている様子はまったく認められない。
　甲第４号証の１１では、見出しに「ヴァレンティノ・コレクション」とあるが、記事中には「イタリアン・ファッションを代表するデザイナー　ヴァレンティノ・ガラバーニ」と説明されている。
　甲第４号証の１２は、高島屋のチラシと認められるが、「ヴァレンチノ・ガラバ−ニ」と「ｖａｌｅｎｔｉｎｏ ｇａｒａｖａｎｉ」が表記されている。
　甲第４号証の１３及び１４は、ハンドバッグの記事？とも認められるが、前記のように「かばん類、袋物」については指定商品より放棄している。　　甲第４号証の１５は、週刊明星に掲載されたバレンチノのデザインのアクセサリーとするが全体として不鮮明である。
　甲第４号証の１６は、肝心の箇所が判読不能である。
　甲第４号証の１７は、商標権について知悉していないライターによる誤用と認められる。
　甲第４号証の１８では、「ヴァレンチノ・ガラバーニ」に続けて商品の普通名称を付して定価を記載してある。
　甲第４号証の１９は、グラスらしき物が見えるのみで提出の意図を推し量ることができない。
　甲第４号証の２０は、ヴァレンティノブティックジャパンの広告かとも推測できるが、媒体、掲載年月日は不明である。
　甲第４号証の２１は、発行年日日、発行者の示されない書籍か雑誌か広報誌のいずれか不明な「マイライフシリーズ」（題号）に掲載されたバッグについて商標「ヴァレンティノ」を用いているとするが、先にも述べたように現在では登録商標の使用とはいえない。
　甲第４号証の２２は、ベルトに「ヴァレンティノ」を用いているが、本件商標の指定商品とは非類似の商品であるといえる。
　甲第４号証の２３では、「Ｖａｌｅｎｔｉｎｏ Ｇａｒａｖａｎｉ」を表記し、これを前提に「ヴァレンティノ」と略記している会社の紹介というべきものである。
　甲第４号証の２４は、雑誌か書籍か発行年月日も不明な資料で、しかも旧第２１類の商品に関するものである。
　甲第４号証の２５は、ａｎ・ａｎ臨時増刊号のブランド別カタログであるが、商標権の帰属について知ることがないために「ヴァレンティノ」と略称したものと認められる。
　甲第４号証の２６は、提出の意図が不明であるといわざるを得ない。コピーを繰り返したために肝心の箇所が写っていないとも考えられる。
　甲第４号証の２７は、旧第２１類に属する商品についてのものである。　　甲第４号証の２８と２９は、順序が逆になっているプレジデント特別増刊号の記事である。ここでは「ヴァレンティノ・ガラバーニの世界」との見出しの下に紹介記事（記事広告？）で「ｖａｌｅｎｔｉｎｏ ｇａｒａｖａｎｉ」を前面に押し立ててから「ヴァレンティノ」と略称しているので文章を短くするための手法であるといえる。
　甲第５号証は、株式会社博報堂作成のＰＲモニターであるとする。この表紙には「１９７６．９．２２〜２８」と期間が明示されている一方、不思議なことに内容では昭和５１年９月１７日の日本工業新聞から昭和５１年１１月３日の千葉日報までの切り抜きが含まれている。
　これらの切り抜きは、甲第５号証の２に掲載されている「ヴァレンティノガラバーニの７６年度秋冬物新作発表会」（東京ホテルオークラ　大阪ロイヤルホテル）に関する短信についての反響をまとめたものである。また、甲第７号証も新聞に掲載された発表会の見聞及び批評の記事である。
　甲第８号証は、発表会において配布されたと思われる定価表と推察される。
　これらをもって商標が周知著名であるとするには足りないと思われる。すなわち、外国におけるオートクチュールの日本進出に際して多くのマスコミが取り上げた事実を明らかにするものではあるが、子細に検討すれば、提出された多くのマスコミにおける読者はほとんど重ならないので、一般需要者からすれば、一度ないし数度雑誌や新聞で見たり聞いたことがあったというにすぎない。先に述べたように、甲第５号証の９に掲載されているように「ヴァレンティノ・ガラバーニ」及び「グロベレガンセ　ビ−　べ−」は、甲第９号証のプレイロードの「ＶＡＬＥＮＴＩＮＯ」商標の存在を認識していたことからマスコミに対して姓名として表記するように要請すべきであったと思われる。
　甲第８号証についていえば、作成頒布した定価表に「ｖａｌｅｎｔｉｎｏ」が掲載されていることをもって著名とするためには、何時、誰に、どの程度の数を頒布したのかを明確にしないと著名性を立証する証拠とはいえない。
　また、この甲第８号証の使用態様は、甲第１６号証に示す他人（プレイロード）の商標権の侵害に該当するものである。
　甲第９号証ないし甲第１５号証は、「世界の一流品大図鑑」に掲載されたことを示すために提出しているものと認められる。
　甲第９号証の２では、「Ｖ．ＧＡＲＡＶＡＮＩ」「ヴァレンティノ・ガラバーニ」をショルダーバッグ（ハンドバッグ）について用いていると認められる。
　甲第１０号証の２では、「ＶＧＡＲＡＶＡＮＩ／ヴァレンティノ・ガラヴァーニ」を衣服用ベルトに用いている例と認められる。
　甲第１１号証の２ないし４では、婦人服、紳士靴、パーテイバッグについて「ＶＡＬＥＮＴＩＮＯ ＧＡＲＡＶＡＮＩ」や「ヴァレンティノ・ガラヴァーニ」を用いている例と認められる。
　甲第１２号証の２では、衣服用ベルトについて「ＶＡＬＥＮＴＩＮＯ ＧＡＲＡＶＡＮＩ／ヴァレンティノ・ガラバーニ」と表記している。
　甲第１３号証の２ないし８では、「ＶＡＬＥＮＴＩＮＯ ＧＡＲＡＶＡＮＩ」や「ヴァレンティノ・ガラヴァーニ」が婦人服、紳士靴、ドレス、婦人用ポロシャツ、ネクタイ、婦人靴、ブレザー、ポロシャツ、パンツ、スカートに用いられている様子が示されている。
　甲第１４号証の２は、ベルトについて「ＶＡＬＥＮＴＩＮＯ ＧＡＲＡＶＡＮＩ／ヴァレンティノ・ガラヴァーニ」と表記してなるものである。
　甲第１５号証の２は、ネクタイについて「ＶＡＬＥＮＴＩＮＯ ＧＡＲＡＶＡＮＩ／ヴァレンティノ・ガラバーニ」と表記されているものである。
　これらの請求人のいう甲号証を子細に検討しても「ＶＡＬＥＮＴＩＮＯ」（ヴァレンティノ）が本件商標の出願時（平成２年８月３日）に略称として著名であるとの根拠とはなり得ない。ほとんど「ＶＡＬＥＮＴＩＮＯ ＧＡＲＡＶＡＮＩ」「ヴァレンティノガラヴァーニ」として用いられて「ＶＡＬＥＮＴＩＮＯ（ヴァレンティノ）」と略称して通用してはいないからである。
　反対に、請求人の提出していない世界の一流品大図鑑’８２では、商品「衣服ベルト」について「ＭＡＲＩＯ ＶＡＬＥＮＴＩＮＯ」と「ＶＡＬＥＮＴＩＮＯ ＧＡＲＡＶＡＮＩ」が同一頁に掲載されている（乙第２８号証）。
　また、乙第２８号証に示す雑誌「ヴァンサンカン」の１９８９年の５月号の広告によれば、靴メーカーのレヴィヨン（甲第１３号証の７）は、「ｖａｌｅｎｔｉｎｏ ｇａｒａｖａｎｉ」と「Ｒｕｄｏｌｐｈ Ｖａｌｅｎｔｉｎｏ」の双方のブランドを用いている。被請求人は請求人の引用した商標の類に加えて、対応する現行分類の一部についての「ＶＡＬＥＮＴＩＮＯ」関係の公告登録されている商標の一覧を提出する（乙第３０号証）。
　これらの公告登録されている商標の存在自体、本願商標が商標法第４条第１項第１５号に該当しないことを明かす証拠方法であるといえる。
　このなかで被請求人の所有する旧第１７類の商標の商標公報を提出する（乙第３１号証及び乙第３２号証）。
　乙第３３号証ないし乙第３６号証は、旧第２１類、旧第２２類、についての被請求人の所有する「バレンチノ」の称呼が生じる構成を含む商標の商標公報である。
　さらに、請求人所有以外の「バレンチノ」の称呼が生じる旧第２２類の商標公報及び商標登録原簿を提出する（乙第３７号証及び乙第３８号証）。　　なお、先に述べたように、請求人が主として「ＶＡＬＥＮＴＩＮＯ ＧＡＲＡＶＡＮＩ」商標を使用している婦人用被服や履物について「ＶＡＬＥＮＴＩＮＯ」商標を使用すると他人の商標権（引用Ａ商標及び登録第１９７０３９４号）の侵害ということになる。
　してみると請求人の主張は奇妙にも、自らの登録商標「ＶＡＬＥＮＴＩＮＯ ＧＡＲＡＶＡＮＩ」は、他人の登録商標「ＶＡＬＥＮＴＩＮＯ」と称呼において類似するものであると主張するに等しい。
　旧第１７類にて先に一覧で提出した商標出願の経過をみると、氏名商標としては一体として判断されるべきとされている審決例等が多い（乙第３９号証ないし乙第４１号証）。
　なお、乙第３０号証の一覧表の「ＣＬＯＣＨＥＴＴＥ ＶＡＬＥＮＴＩＮＯ」商標については異議申立があったものの平成８年５月３１日異議理由なしの決定及び登録査定が出されている。同じく、旧第１７類を指定商品とする「ＶＡＬＥＮＴＩＮＯ ＬＡＮＤＵＣＣＩ」商標に関しても同日に同じ決定及び査定が出されている。
　これらの本件商標と同じ分類の審査例の存在自体が直接、本件請求の理由のないことを雄弁に物語るといえる。
　日本では「キャデラック」といえば米国の高級車として著名商標といえるが、米国では１７０１年にデトロイトの都市建設事業を行ったフランス人冒険家Ｃａｄｉｌｌａｃに由来するものであるからか、同一綴りの商標が明らかな米国の別法人の名義で自動車以外の商品に関して出願されており、日本でも登録されている（乙第４２号証及び乙第４３号証）。
　歴史的人物となっている著名人に由来する商標との観点でいえば、明治７年７月１６日に生まれオーストラリア．ハンガリ−帝国の代理公使ハインリッヒ・クーデンホーフ・カレルギーに嫁いだクーデンホーフ光子の「光子」が命名の由来となった香水のブランド「ＭＩＴＳＵＫＯ」がある。
　これらの例に見られるように著名人の氏名に由来する商標の採択使用は一般的に行われるところである。
　本件商標は、通常使用権者により指定商品中の「セーター、ポロシャツ、ネクタイ、ハンカチ、パンティストッキング、バスタオル、フェイスタオル、シーツ、ふとん」に現実に継続して使用され（乙第４４号証ないし乙第５２号証）、取引上の大きな地歩を占めている。
５　以上に述べたように、本件商標は、商標法第４条第１項第８号、同第１１号及び同第１５号に該当するものではないから、同法第４６条第１項の規定によりその登録を無効とされるべき理由は全く存在しない。
　
第５　当審の判断
１　利害関係について
　被請求人は、本件審判の請求につき、請求人は法律上の利益が必要とされるにもかかわらず、この点について明確にしていない不適当なものであるから、その請求は却下されるべきである旨主張するので、この点について検討するに、ある商標の登録の存在によって直接不利益を被る関係にある者は、それだけで利害関係人として当該商標の登録を無効にする審判を請求することにつき、利害関係を有する者に該当すると解するのが相当である。
　本件においては、請求人は、本件商標の登録が存在することにより、自己の取り扱いに係る商品と本件商標を使用した商品との間に、出所の誤認混同を生じさせるおそれがある、ないし請求人の人格権が害されると主張しているのであるから、本件商標の登録を無効にし、排除せんとすることは、商標権の本質に照らして当然の権利というべきものである。
　したがって、請求人は、本件商標の存在によって、直接不利益を受ける者であるから、本件審判の請求をするにつき、利害関係を有するというべきで ある。
２　「ＶＡＬＥＮＴＩＮＯ(ヴァレンティノ)標章」の著名性について
　本件審判の請求の理由、甲第３号証ないし甲第１５号証（枝番を含む。）及びファッション関係雑誌を総合してみるに、以下の事実が認められる。
（１）ヴァレンティノ　ガラヴァーニ（Ｖａｌｅｎｔｉｎｏ　Ｇａｒａｖａｎｉ）は、１９３２年イタリア国ボグヘラで誕生、１７才の時パリに行き、パリ洋裁学院でデザインの勉強を開始し、その後フランスの有名なデザイナー「ジーン・デシス、ギ・ラ・ロシュ」の助手として働き、１９５９年ローマで自分のファッションハウスを開設した。１９６７年にはデザイナーとして最も栄誉ある賞といわれる「ファッションオスカー（Ｆａｓｈｉｏｎ　Ｏｓｃａｒ）」を受賞し、ライフ誌、ニューヨークタイムズ誌、ニューズウィーク誌などの新聞、雑誌に同氏の作品が掲載された。これ以来、同氏は、イタリア・ファッション界の第１人者となり、サンローランなどと並んで世界三大デザイナーとも呼ばれるようになった。
（２）甲第４号証２ないし２９は、主に昭和５１年９月から同５２年１月にかけて発行された新聞、週刊誌等におけるヴァレンティノ　ガラヴァーニのデザインに係る紳士服、婦人服の紹介記事を抜粋したと認められるものであって、以下の記事が掲載されている。
（ア）「親しみやすいものばかり」の見出しで、「…バレンティノ・ガラバーニのわが国初めての本格的ショーが、このほど東京と大阪のホテルであい次いで開かれた…もっともバレンティノにいわせると…」（甲第４号証の３、昭和５１年１０月５日「朝日新聞」）。
（イ）「バレンティノ大胆なカットがモダンなトリコットのドレス。…」（甲第４号証の４、１９７６年（昭和５１年）１０月１２日「週刊女性」）。
（ウ）「日本人の感覚にピッタリ」の見出しの下に、「世界のＶＩＰ女性愛用のヴァレンティノ・コレクション発表…」（甲第４号証の５、昭和５１年１０月２日「日刊ゲンダイ」）。
（エ）「秋冬もの“綿素材”の進出」の見出しで、「…ヴァレンティノ・ガラバーニの‘７６秋冬コレクションが、このほど大阪ロイヤルホテルで開かれた…ヴァレンティノのショーから」（甲第４号証の６、昭和５１年（１９７６年）９月３０日「読売新聞」）。
（オ）「ヴァレンティノ・コレクション」の見出しで、「…イタリアン・ファッションを代表するデザイナー、ヴァレンティノ・ガラバーニの秋冬コレクション。…」（甲第４号証の１１、昭和５１年１０月５日「サンケイ新聞」）。
（カ）バックルつきベルトの写真の下に「『ヴァレンティノ』…イニシャルＶのメタルをはめ込んだトップ式バックル、ベルトにもＶ文字がプリントされた…」（甲第４号証の２２、１９７７年（昭和５２年）１月１日発行「アイリス マガジン」）。
（キ）「有名デパートの特選コーナーから選んだ『世界の特選品』」の見出しの下に、「ヴァレンティノはイタリアのオートクチュール出身のメーカー。…２０〜４０歳まで、いいものがわかる人なら誰でもがヴァレンティノを愛してしまう。」（甲第４号証の２５、「ａｎａｎ臨時増刊号 ＦＡＬＬ＆ＷＩＮＴＥＲ １９７６〜‘７７ ブランド別ＣＡＴＡＬＯＧＵＥ」）。
（ク）「ヴァレンティノ・ガラバーニの世界」の見出しで、「『ヴァレンティノ・ガラバーニはイタリアン・ファッション界の第一人者である。』…『ヴァレンティノ・ガラバーニは世界のプレタ・ポルテ界を牛耳る大ものデザイナーのベスト・スリーの一人に数えられる』など、ヴァレンティノ・ガラバーニに対する賛辞は枚挙にいとまがない。」（甲第４号証の２９、昭和５１年１１月３０日発行「プレジデントの特別増刊号）。
（３）甲第５号証の２ないし４２は、主に昭和５１年９月から同１１月にかけて発行された新聞、週刊誌等におけるヴァレンティノ　ガラヴァーニのデザインに係る紳士服、婦人服の紹介記事を抜粋したと認められるものであって、以下の記事が掲載されている。
（ア）「鮮やか黒いファッション　ヴァレンティノ秋冬ショー」の見出しで、「イタリアンのデザイナー、ヴァレンティノ・ガラバーニの秋冬コレクションが東京・ホテルオークラで紹介された。…（ヴァレンティノ秋冬ショーから）」（甲第５号証の３、昭和５１年９月２８日「繊研新聞」）。
（イ）「ヴァレンティノ・コレクション　日本で初の開催」の見出しで、「（東京）イタリアンのデザイナー、ヴァレンティノ・ガラバーニのコレクションがこのほどホテルオークラで、わが国で初めて開かれた（主催ヴァレンティノブティック・ジャパン）。…メンズのデザイナーとしも定評のあるヴァレンティノは、今回のショーでも…」（甲第５号証の５、昭和５１年９月２９日「センイジヤアナル（大阪）」）。
（ウ）「伊の鬼才ヴァレンティノ　これが７６年秋冬の新作」の見出しで、「…今度はイタリアから。同国のファッション界の鬼才といわれるヴァレンティノ・ガラバーニの７６年秋冬コレクションがこのほど紹介された。…」（甲第５号証の２０、昭和５１年１０月６日「日経産業新聞」）。
（エ）「秋・冬に向かってのイタリアン・ファッション」の見出しで、「…イタリアンで人気の高いランチエッティやバレンティノもフォークロアをテーマにして作品をみせていましたが…」（甲第５号証の２４、昭和５１年１０月８日「週刊朝日」）。
（オ）「ＦＡＳＨＩＯＮ ＩＮＦＯＭＡＴＩＯＮ」の見出しで、「ヴァレンチノとミッシェル・ドメルク…ヴァレンチノの作品はパンツが中心。…」（甲第５号証の３５、昭和５１年１０月２０日「ノンノ」）。
（カ）「資生堂ザ・ギンザ・秋冬のファッション」の見出しで、「従来のヴァレンティノ・ガラバーニに加えてもう一人ミッシェル・ドメルクの登場です。イタリア・ファッションの第一人者ヴァレンティノも日本に登場して２年、…」（甲第５号証の３６、昭和５１年１１月「婦人画報」）。
（４）甲第９号証ないし甲第１５号証（枝番を含む。）は、１９８１年（昭和５６年）から１９９０年（平成２年）までのファッション関係雑誌の紹介記事で、以下の記載等が認められる。
（ア）「Ｖ．ＧＡＲＡＶＡＮＩ ヴァレンティノ　ガラバァーニ（イタリア）」の見出しで「永遠にエレガンスを追求するヴァレンティノにとつて…ヴァレンティノの高度のファッション感覚に色づけされたハンドバッグは、…」（甲第９号証の１及び２ 「世界の一流品大図鑑’８１年版」)。
（イ）「ＶＡＬＥＮＴＩＮＯ　ＧＡＲＡＶＡＮＩ／ヴァレンティノ　ガラヴァーニ（イタリア）Ｖのイニシャルを生かしたカラフルなファッションベルトです。 」（甲第１０号証の１及び２ 「世界の一流品大図鑑’８３年版」)。
（ウ）「ＶＡＬＥＮＴＩＮＯ　ＧＡＲＡＶＡＮＩ」見出しで、「女性用スーツ、紳士靴及びパーテイバッグ」の写真とともに、「…ヴァレンティノ…」（甲第１１号証の１ないし４ 「世界の一流品大図鑑’８５年版」)。
（エ）バックル付きベルトの写真の下に「ＶＡＬＥＮＴＩＮＯ　ＧＡＲＡＶＡＮＩ／ヴァレンティノ　ガラヴァーニ（イタリア）…オフタイムこそ、(ヴァレンティノで洒落てみたい。」（甲第１２号証の１及び２ 「男の一流品大図鑑’８５年版」)。
（オ）婦人服、紳士服、ロングドレス、婦人用ポロシャツ、ネクタイ及び婦人靴の写真とともに、「ＶＡＬＥＮＴＩＮＯ　ＧＡＲＡＶＡＮＩ」、「ＶＡＬＥＮＴＩＮＯ　ＧＡＲＡＶＡＮＩ ＳＰＯＲＴ」及び「ｖａｌｅｎｔｉｎｏ　ｇａｒａｖａｎｉ」と「Ｖ」を図案化した図形の組み合わせ（甲第１３号証の１ないし８ 「世界の一流品大図鑑’８８年版」)。
（カ）ベルトの写真とともに、「ＶＡＬＥＮＴＩＮＯ　ＧＡＲＡＶＡＮＩ／ヴァレンティノ　ガラヴァーニ（イタリア）」（甲第１４号証の１及び２ 「男の一流品大図鑑’８８年版」)。
（キ）ネクタイの写真とともに、「ＶＡＬＥＮＴＩＮＯ　ＧＡＲＡＶＡＮＩ／ヴァレンティノ　ガラヴァーニ（イタリア）」（甲第１５号証の１及び２ 「世界の一流品大図鑑’９０年版」)。
（５）そして、１９９１年（平成３年）、１９９７年（平成９年）のファッション関係雑誌の紹介記事でも、以下の記載等が認められる。
（ア）ネクタイの写真とともに、「ＶＡＬＥＮＴＩＮＯ　ＧＡＲＡＶＡＮＩ／ヴァレンティノ　ガラヴァーニ（イタリア）」（ 「世界の一流品大図鑑’９１年版」)。
（イ）モデル着用の婦人用毛皮服、婦人服及び婦人用バッグの写真とともに、「ヴァレンティノ」若しくは「ＶＡＬＥＮＴＩＮＯ」（ 「エル・ジャポン１９９７年８月号」)。
（６）以上の（２）ないし（５）のように、「Ｖａｌｅｎｔｉｎｏ　Ｇａｒａｖａｎｉ(ヴァレンティノ　ガラヴァーニ)」の氏名、またはそのデザインに係る商品について、単に「ヴァレンティノ」の表示のみで紹介されている記事が多数掲載されている事実よりすれば、「ＶＡＬＥＮＴＩＮＯ(ヴァレンティノ)標章」は、「Ｖａｌｅｎｔｉｎｏ　Ｇａｒａｖａｎｉ(ヴァレンティノ　ガラヴァーニ)」のデザインに係る商品群を表示するブランドとして、本件商標の登録出願日前より、わが国のファッション関連商品の分野において広く認識されていたものと認め得るところであり、その著名性は、本件商標の登録査定時においても継続していたということができる。
　そして、「ヴァレンティノ」(若しくは「バレンチノ」)の表示は、「Ｖａｌｅｎｔｉｎｏ　Ｇａｒａｖａｎｉ(ヴァレンティノ　ガラヴァーニ)」の氏名、またはそのデザインに係る商品群に使用されるブランド(「ＶＡＬＥＮＴＩＮＯ(ヴァレンティノ)標章」)の略称を表すものとして、本件商標の登録出願前より、わが国のファッション関連の商品分野の取引者及び需要者の間で広く認識されていたものというのが相当である。
３　出所の混同について
　本件商標は、別掲に示すとおり、その構成中の「Ｒｕｄｏｌｐｈ Ｖａｌｅｎｔｉｎｏ」の欧文字が１６文字、これより生ずる「ルドルフヴァレンティノ」の称呼も９音であって、その構成文字又は称呼のいずれよりみても、一つの名称のものとしては冗長というべきである。さらに、本件商標は、全体として特定の熟語や氏名を表すものとして一般の取引者、需要者によく知られているというような事情も、被請求人の提出した証拠によっては認めるに足りない。
　そして、前記２（６）のとおり、本件商標の登録出願時には、既に、ＶＡＬＥＮＴＩＮＯ(ヴァレンティノ)標章が、紳士服、婦人服等のファッション関連の商品について使用され、ヴァレンティノ　ガラヴァーニ（Ｖａｌｅｎｔｉｎｏ　Ｇａｒａｖａｎｉ）のデザインに係る商品に付される商標ないしは同人の略称として著名であったこと及びＶＡＬＥＮＴＩＮＯ標章が付される商品「紳士服、婦人服」等と本件商標の指定商品は、共にファッション関連の商品であって、同一又は高い関連性がある商品といい得るものであること等を併せ考慮すれば、本件商標をその指定商品に使用するときは、これに接する取引者、需要者は、その構成中後半の「ＶＡＬＥＮＴＩＮＯ」の文字のみを捉え、著名なＶＡＬＥＮＴＩＮＯ標章を連想、想起し、それがヴァレンティノ　ガラヴァーニ又は同人と何らかの関係がある者の業務に係るものであるかのように、その商品の出所について混同を生ずるおそれがあったものと判断するのが相当である。
　また、この混同を生ずるおそれは、本件商標の登録出願時から登録査定時においても継続していたものと認められる。
４　商標法第４条第１項第１５号に関する被請求人の主張について
　被請求人は、「ＶＡＬＥＮＴＩＮＯ」が「ＶＡＬＥＮＴＩＮＯ(ヴァレンティノ)標章」の略称として、著名ではない旨主張し、他の登録例、審査・審判例を挙げている。
　しかしながら、前記２及び３で認定したように、「Ｖａｌｅｎｔｉｎｏ　Ｇａｒａｖａｎｉ(ヴァレンティノ　ガラヴァーニ)」は、１９６７年にはデザイナーとして最も栄誉ある賞といわれる「ファッションオスカー（Ｆａｓｈｉｏｎ　Ｏｓｃａｒ）」を受賞し、ライフ誌、ニューヨークタイムズ誌、ニューズウィーク誌などの新聞、雑誌に同氏の作品が掲載された。これ以来、同氏は、イタリア・ファッション界の第１人者となり、サンローランなどと並んで世界三大デザイナーとも呼ばれるようになった。わが国においても、昭和５０年代はじめには、同デザイナーが手がけた被服等が新聞雑誌等を通じて紹介され、商品のデザインがエレガントであることなどの理由により、その名前は、ファッション関連の業界にとどまらず、一般の消費者の間にも広く知られるようになったということができる。そして、わが国においては、「Ｖａｌｅｎｔｉｎｏ　Ｇａｒａｖａｎｉ(ヴァレンティノ　ガラヴァーニ)」、ないし同デザイナーのデザインに係る商品群について使用される「ＶＡＬＥＮＴＩＮＯ(ヴァレンティノ)標章」が、単に「ヴァレンティノ」と表示されている事実があることからすると、「ヴァレンティノ」若しくは「ＶＡＬＥＮＴＩＮＯ」との表記から、一般の消費者は、「Ｖａｌｅｎｔｉｎｏ　Ｇａｒａｖａｎｉ(ヴァレンティノ　ガラヴァーニ)」の「ＶＡＬＥＮＴＩＮＯ(ヴァレンティノ)標章」を想起、連想するというのが相当である。
　そして、「Ｖａｌｅｎｔｉｎｏ　Ｇａｒａｖａｎｉ(ヴァレンティノ　ガラヴァーニ)」以外の、「ＶＡＬＥＮＴＩＮＯ」の文字を含むデザイナーに係る商品のブランドが、単に「ヴァレンティノ」若しくは「ＶＡＬＥＮＴＩＮＯ」と略称されている事実は存在しない。
　また、本件商標の指定商品を含めた他の商品の区分において、「ＶＡＬＥＮＴＩＮＯ」の文字を含む商標が登録されている事実が存在するとしても、本件商標をその指定商品に使用した場合に、その登録出願時から査定時において、「Ｖａｌｅｎｔｉｎｏ　Ｇａｒａｖａｎｉ(ヴァレンティノ　ガラヴァーニ)」の「ＶＡＬＥＮＴＩＮＯ(ヴァレンティノ)標章」を使用した商品との間に、出所の混同を生ずるおそれがあったか否かの問題であるから、被請求人が挙げる登録商標等の存在に、前記認定が左右されるものではない。
　したがって、本件商標は、商標法第４条第１項第１５号に違反して登録されたものであるから、同法第４６条第１項の規定により、その登録を無効とすべきものである。
　よって、結論のとおり審決する。